(57)【要約】【課題】カートリッジを挿排口から挿入又は排出する際に、フラップ状部材によってカートリッジの表面に傷が付くのを極力防止する技術を提供する。【解決手段】カートリッジ２を挿入し及び排出するための挿排口において回動し得るように設けられ、該挿入及び排出時以外のときには該挿排口を閉塞し、該挿入及び排出時にはカートリッジによって押し開けられるカートリッジ挿排口開閉用のフラップ状部材１に対し、カートリッジの挿入時又は排出時に、カートリッジ上の、挿入又は排出方向に沿った一辺２ａとの摺動によって、フラップ状部材を開状態に維持する摺動部５を設ける。【選択図】図１
2006018919.tif 000002
【特許請求の範囲】
【請求項１】
カートリッジを挿入し及び排出するための挿排口において回動し得るように設けられ、該挿入及び排出時以外のときには該挿排口を閉塞し、該挿入及び排出時にはカートリッジによって押し開けられるカートリッジ挿排口開閉用のフラップ状部材であって、
カートリッジの挿入時又は排出時に、カートリッジ上の、挿入又は排出方向に沿った一辺との摺動によって、フラップ状部材を開状態に維持する摺動部を有することを特徴とするカートリッジ挿排口開閉用フラップ状部材。
【請求項２】
前記摺動に際しては、カートリッジとフラップ状部材とは、前記一辺及び摺動部においてのみ相互に接触することを特徴とする請求項１に記載のカートリッジ挿排口開閉用フラップ状部材。
【請求項３】
カートリッジの挿入時又は排出時に、前記摺動部が、前記カートリッジ上の、前記一辺の一端に存在する角部分によって押され、該角部分と摺動することによってフラップ状部材が閉状態から開状態となることを特徴とする請求項１又は２に記載のカートリッジ挿排口開閉用フラップ状部材。
【請求項４】
カートリッジはほぼ直方体の形状を有し、前記挿排口はカートリッジを前記一辺に沿った方向で挿入し又は排出するのに適合した形状及び大きさを有し、フラップ状部材はその回動の軸方向に長く、前記挿排口の閉塞に適合した、ほぼ長方形の板状部材で構成されていることを特徴とする請求項１〜３のいずれか１項に記載のカートリッジ挿排口開閉用フラップ状部材。
【請求項５】
フラップ状部材の回動の軸と直交しかつフラップ状部材の板面に平行な直線と平行で、かつ板面からの高さが、フラップ状部材の端部に近い部分ほど高くなっている傾斜面を前記摺動部として有することを特徴とする請求項１〜４のいずれか１項に記載のカートリッジ挿排口開閉用フラップ状部材。
【請求項６】
カートリッジはＭＤカートリッジであり、前記摺動部は挿入又は排出されるＭＤカートリッジのシャッタと接触しない側に設けられていることを特徴とする請求項１〜５のいずれか１項に記載のカートリッジ挿排口開閉用フラップ状部材。
【発明の詳細な説明】
【技術分野】
【０００１】
本発明は、カートリッジを挿入し及び排出するための挿排口を塞ぐために用いられ、カートリッジの挿入時又は排出時にはカートリッジによって押し開けられるるカートリッジ挿排口開閉用フラップ状部材に関する。
【背景技術】
【０００２】
従来、ＭＤ（ミニディスク）を再生又は記録する機能を有するオーディオシステムにおいて、ＭＤカートリッジの装填は、意匠パネル面に設けられた挿排口から挿入することにより行われている。この挿排口には、防塵等の目的で挿排口を塞ぐためのＭＤフラップが設けられている（特許文献１参照）。
【０００３】
図３はこのような従来のオーディオシステムにおけるＭＤカートリッジの排出時の様子を示す斜視図である。同図において、３１はＭＤフラップ、３２はＭＤフラップ３１の外側面に設けられた外側リブ、３３はＭＤフラップ３１の内側面に設けられた内側リブ、２はＭＤカートリッジ、２ｅはＭＤカートリッジのシャッタ、３７はＭＤカートリッジ２の排出方向を示す矢印である。
【０００４】
ＭＤフラップ３１は図示していない意匠パネル面の挿排口において回動自在に設けられており、通常時には挿排口を閉塞している。ＭＤカートリッジ２がシステム内の装填位置に向けて挿排口から挿入され又はそこから排出されるとき、ＭＤフラップ３１はＭＤカートリッジ２によって外側又は内側から押し開けられるようになっている。
【０００５】
外側リブ３２は、ＭＤフラップ３１の両端近傍に２つが設けられている。これらの外側リブ３２は、ＭＤカートリッジ２の挿入時、ＭＤカートリッジ２に対し、２点で接触し、ＭＤフラップ３１とＭＤカートリッジ２との摩擦を緩和する役割を有する。また、ＭＤカートリッジ２に対し、外側リブ３２のみが接触することによって、ＭＤカートリッジ２に傷が生じるのを防止する役割も果たしている。
【０００６】
内側リブ３３は、ＭＤカートリッジ２の排出時、ＭＤカートリッジ２に対し、シャッタ２ｅ以外の部分において１点で接触することによって、シャッタ２ｅと、ＭＤフラップ３１とが干渉するのを防止するとともに、ＭＤカートリッジ２とＭＤフラップ３１との間の摩擦を軽減する役割を果たしている。
【０００７】
図４は図３の状態を矢印３８の方向から見た様子を示す。同図に示すように、カートリッジ２が挿入されるとき、内側リブ３３は、ＭＤカートリッジ２の表面に対し１点で接触し、ＭＤフラップ３１がＭＤカートリッジ２の表面から離れるように作用する。これによって、ＭＤカートリッジ２とＭＤフラップ３１との間の摩擦が軽減される。
【０００８】
【特許文献１】特開２００３−２２３７５６号公報
【発明の開示】
【発明が解決しようとする課題】
【０００９】
しかしながら、上述の従来技術によれば、ＭＤカートリッジ２の排出を数回繰り返すうちに、ＭＤフラップ３１内側の中央に設けられている内側リブ３３が、ＭＤカートリッジ２のケースに傷を付ける恐れがある。近年、ＭＤカートリッジの装飾も多様化しており、ケース表面を綺麗な模様で装飾しているものが目立つようになってきている。したがってその装飾に傷が付くと、特に目立ち易い。
【００１０】
本発明の目的は、このような従来技術の問題点に鑑み、カートリッジを挿排口から挿入又は排出する際に、フラップ状部材によってカートリッジの表面に傷が付くのを極力防止する技術を提供することにある。
【課題を解決するための手段】
【００１１】
本発明に係るカートリッジ挿排口開閉用フラップ状部材は、カートリッジを挿入し及び排出するための挿排口において回動自在に設けられ、カートリッジの挿入及び排出時以外のときには挿排口を閉塞し、カートリッジの挿入及び排出時にはカートリッジによって押し開けられるものである。そして上記目的を達成するため、該フラップ状部材は、カートリッジの挿入時又は排出時に、カートリッジ上の、挿入又は排出方向に沿った一辺との摺動によってフラップ状部材を開状態に維持する摺動部を具備することを特徴とする。
【００１２】
ここで、カートリッジとしては、たとえば、ＭＤカートリッジ、カセットテープ、カートリッジ付きＤＶＤ−ＲＡＭディスクが該当する。摺動部としては、たとえば、前記カートリッジ上の挿入又は排出方向に沿った一辺と、ほぼ１点において摺動する摺動面を有するものが該当する。摺動面は湾曲していてもよい。
【００１３】
この構成において、カートリッジの挿入又は排出に際し挿排口をカートリッジが通過するとき、カートリッジによって押し開かれたフラップ状部材の摺動部は、カートリッジ上の挿入又は排出方向に沿った一辺と摺動し、これにより、フラップ状部材は開状態に維持される。つまりこの摺動が行われている間、フラップ状部材は開状態が維持されるので、摺動部以外の他の部分においてはカートリッジと接触する必要はない。したがって、カートリッジ上の主要な表面にフラップ状部材によって傷がつくのを防止することができる。フラップ状部材の摺動部と摺動するカートリッジ上の辺については傷がつく場合もあり得るが、その場合でも、傷の大きさは小さく、さほど目立つことはない。
【００１４】
第２の発明に係るカートリッジ挿排口開閉用フラップ状部材は、第１発明において、カートリッジ上の一辺と摺動部との摺動に際しては、カートリッジとフラップ状部材とは、該摺動部及びカートリッジ上の一辺においてのみ相互に接触することを特徴とする。
【００１５】
第３の発明に係るカートリッジ挿排口開閉用フラップ状部材は、第１又は第２発明において、カートリッジの挿入時又は排出時に、摺動部が、前記カートリッジ上の一辺の一端の角部分によって押され、該角部分と摺動することによってフラップ状部材が閉状態から開状態となることを特徴とする。
【００１６】
第４の発明に係るカートリッジ挿排口開閉用フラップ状部材は、第１〜第３のいずれかの発明において、カートリッジはほぼ直方体の形状を有し、挿排口はカートリッジを前記一辺に沿った方向で挿入し又は排出するのに適合した形状及び大きさを有し、フラップ状部材はその回動の軸方向に長く、挿排口の閉塞に適合した、ほぼ長方形の板状部材で構成されていることを特徴とする。
【００１７】
第５の発明に係るカートリッジ挿排口開閉用フラップ状部材は、第１〜第４のいずれかの発明において、フラップ状部材の回動の軸と直交しかつフラップ状部材の板面に平行な直線と平行で、かつ板面からの高さが、フラップ状部材の端部に近い部分ほど高くなっている傾斜面を摺動部として有することを特徴とする。
【００１８】
第６の発明に係るカートリッジ挿排口開閉用フラップ状部材は、第１〜第５のいずれかの発明において、カートリッジはＭＤカートリッジであり、摺動部は挿入又は排出されるＭＤカートリッジのシャッタと接触しない側に設けられていることを特徴とする。
【発明の効果】
【００１９】
本発明によれば、カートリッジの挿入時又は排出時に、フラップ状部材との摺動によってカートリッジの表面に傷が付くのを防止することができる。
【発明を実施するための最良の形態】
【００２０】
図１は本発明の一実施形態に係るオーディオシステムにおけるＭＤフラップ部分を示す斜視図であり、図２は図１の一部を矢印Ａ方向から見た様子を示す正面図である。これらの図において、１は図示しないオーディオシステムのパネル面に設けられた挿排口を塞ぐためのＭＤフラップ、２は挿排口を介して挿入及び排出されるＭＤカートリッジである。ただし同図においては、ＭＤカートリッジ２が矢印Ｂ方向に向けて排出されるときの様子が示されている。
【００２１】
ＭＤフラップ１は挿排口の形状に適合した長方形の板状部材で構成されている。ＭＤフラップ１には両端部に回動軸３、外側面の両端近傍に２つのリブ４、内側面の一端に傾斜面５がそれぞれ設けられている。ＭＤカートリッジ２はほぼ直方体の形状を有し、挿排口はＭＤカートリッジ２の挿入に適合した形状及び大きさを有する。
【００２２】
回動軸３はＭＤフラップ１における一方の長辺１ａの両端部分から長辺１ａ方向に延びている。ＭＤフラップ１は回動軸３を介し、長辺１ａの周りで回動し得るように支持されており、回動位置に応じて挿排口を閉塞し又は開放する。ＭＤフラップ１には回動軸３を介してその回動方向に付勢力が加えられており、付勢力はＭＤフラップ１が挿排口を丁度閉塞する位置へ向けられている。すなわちＭＤフラップ１は、ＭＤカートリッジ２が挿排口を通過するとき以外は付勢力によって挿排口を閉塞するが、ＭＤカートリッジ２の挿入時及び排出時には、ＭＤカートリッジ２により、付勢力に抗して押し開けられるようになっている。
【００２３】
各リブ４はＭＤフラップ１の短辺に対して平行に設けられている。２つのリブ４は、ＭＤカートリッジ２の挿入時に、ＭＤカートリッジ２の挿入方向側の端面２ｃ及び回動軸３側の表面２ｄに対し２点において順次接触し、これによりＭＤフラップ１とＭＤカートリッジ２との摩擦を緩和する役割を有する。この目的のため、リブ４のＭＤカートリッジ２に対する接触部分は丸みを帯びた面となっている。
【００２４】
傾斜面５は、ＭＤフラップ１において、挿排口を通過するＭＤカートリッジ２のシャッタ２ｅとは反対側の端部の内側に設けられている。傾斜面５は、回動軸３と直交しかつＭＤフラップ１の板面に平行な直線と平行であり、かつ板面からの高さが、ＭＤフラップ１の短辺に近い部分ほど高くなっている。したがってＭＤカートリッジ２の排出時に傾斜面５がＭＤカートリッジ２上の、排出方向に沿った一辺２ａの一端の角部分２ｂによって押されると、ＭＤフラップ１が閉状態から図１又は図２で示されるような開状態となる。これにより傾斜面５は、排出方向に沿った一辺２ａに対しほぼ平行となって１点で接触し、その後、辺２ａと摺動してＭＤフラップ１の開状態を維持する。
【００２５】
この構成において、オーディオシステム内に装填されているＭＤカートリッジ２がオーディオシステムによって挿排口から排出されるとき、ＭＤカートリッジ２は矢印Ｂで示される排出方向に向けて送出される。ＭＤカートリッジ２の排出方向側の端面２ｆが、挿排口を閉塞しているＭＤフラップ１の位置に到達すると、ＭＤカートリッジ２の角部分２ｂがＭＤフラップ１の傾斜面５に接触する。これによって角部分２ｂは傾斜面５を押圧し、ＭＤフラップ１は回動を開始する。
【００２６】
さらにＭＤカートリッジ２が排出方向に送出されると、角部分２ｂは傾斜面５を押しながら傾斜面５上を摺動し、これによってＭＤフラップ１は押し開かれる。そして、ＭＤカートリッジ２の端面２ｆが、ＭＤフラップ１の回動軸とは反対側の長辺１ｂの位置に達すると、ＭＤフラップ１は最も開いた状態となる。このとき、傾斜面５はＭＤカートリッジ２の辺２ａに対しほぼ平行となって接触している。
【００２７】
その後、ＭＤカートリッジ２がさらに送出され、図１で示される位置に達すると、ＭＤカートリッジ２の送出は停止される。この間、傾斜面５はＭＤカートリッジ２の辺２ａに対しほぼ平行な状態で摺動することによってＭＤフラップ１の開状態を維持する。その後、ＭＤカートリッジ２はユーザによって引き抜かれるが、ＭＤカートリッジ２の端面２ｃがＭＤフラップ１の長辺１ｂの位置に至るまでの間は、ＭＤフラップ１の開状態は同様にして傾斜面５によって維持される。ＭＤカートリッジ２の端面２ｃがＭＤフラップ１の長辺１ｂの位置を越えると、ＭＤフラップ１は付勢力によって、挿排口を塞ぐ中立位置に戻る。これによって、ＭＤカートリッジ２の排出が完了する。
【００２８】
本実施形態によれば、ＭＤフラップ１に傾斜面５を設け、ＭＤカートリッジ２の排出時には傾斜面５がＭＤカートリッジの角部分２ｂ及び辺２ａと接触することによりＭＤフラップ１を開状態とするようにしたため、ＭＤカートリッジ２の排出時におけるＭＤカートリッジ２とＭＤフラップ１との接触によりＭＤカートリッジ２の表面に傷が付くのを防止することができる。
【００２９】
なお、本発明は上述実施形態に限定されることなく、適宜変形して実施することができる。たとえば、上述においては、ＭＤフラップ１の内側に傾斜面５を設けたが、これに加え、ＭＤフラップ１の外側に同様の傾斜面を設けるようにしてもよい。この傾斜面は、たとえば、ＭＤフラップ１を対称面として、傾斜面５と対称となるように設けることができる。これによれば、ＭＤカートリッジ２の挿入時においても、同様の作用により、ＭＤカートリッジ２の表面に傷が付くのを防止することができる。
【００３０】
また、上述においては、ＭＤカートリッジ用の挿排口に設けられたＭＤフラップについて述べたが、本発明はこれに限らず、カセットテープ、フロッピディスクその他のメディアのための挿排口に設けられるフラップについても適用することができる。
【図面の簡単な説明】
【００３１】
【図１】本発明の一実施形態に係るオーディオシステムにおけるＭＤフラップ部分を示す斜視図である。
【図２】図１の一部を同図中の矢印Ａ方向から見た様子を示す正面図である。
【図３】従来のオーディオシステムにおけるＭＤカートリッジの排出時の様子を示す斜視図である。
【図４】図３の状態を同図中の矢印３８の方向から見た様子を示す側面図である。
【符号の説明】
【００３２】
１，３１：ＭＤフラップ、１ａ，１ｂ：長辺、２：ＭＤカートリッジ、２ａ：一辺、２ｂ：角部分、２ｃ，２ｆ：端面、２ｄ：表面、２ｅ：シャッタ、３，３６：回動軸、４：リブ、５：傾斜面、３２：外側リブ、３３：内側リブ、３７，３８，Ａ，Ｂ：矢印。
【図１】
2006018919.tif 000003
【図２】
2006018919.tif 000004
【図３】
2006018919.tif 000005
【図４】
2006018919.tif 000006